【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
デジタル放送コンテンツと関連した広告コンテンツに対する入札要請を受信するステップと、
前記広告コンテンツの品質情報を用いて前記広告コンテンツの露出順位を決定するステップと、
前記露出順位によって整列された前記広告コンテンツを前記デジタル放送コンテンツと共に提供するステップと、
を含み、
前記広告コンテンツは、
課金方式によって分類されることを特徴とする広告コンテンツ提供方法。
【請求項２】
前記広告コンテンツに対する入札要請を受信するステップは、
前記デジタル放送コンテンツを構成する場面別に前記広告コンテンツに対する入札要請を受信することを特徴とする請求項１に記載の広告コンテンツ提供方法。
【請求項３】
前記広告コンテンツに対する入札要請を受信するステップは、
前記デジタル放送コンテンツの再生時間中の予め設定した広告時間別に、前記広告コンテンツに対する入札要請を受信することを特徴とする請求項１に記載の広告コンテンツ提供方法。
【請求項４】
前記広告コンテンツの露出順位を決定するステップは、
前記広告コンテンツの品質情報であるＣＴＲを用いて露出順位を決定することを特徴とする請求項１に記載の広告コンテンツ提供方法。
【請求項５】
前記広告コンテンツの露出順位を決定するステップは、
前記広告コンテンツに対する課金方式を考慮して露出順位を決定することを特徴とし、
前記課金方式は、
ＣＰＣ方式およびＣＰＭ方式を含むことを特徴とする請求項１に記載の広告コンテンツ提供方法。
【請求項６】
前記広告コンテンツの露出順位を決定するステップは、
前記広告コンテンツに対する課金方式がＣＰＣ方式である場合、前記入札要請に含まれた最大クリック費用および前記広告コンテンツの品質情報である品質指数による順位指数を考慮して露出順位を決定するステップと、
前記広告コンテンツに対する課金方式がＣＰＭ方式である場合、前記広告コンテンツのＣＴＲを考慮して露出順位を決定するステップと、
を含むことを特徴とする請求項１に記載の広告コンテンツ提供方法。
【請求項７】
前記品質指数は、
事前評価要素である前記広告コンテンツの品質要素および事後評価要素である前記広告コンテンツのＣＴＲそれぞれに加重値を適用して計算されることを特徴とする請求項６に記載の広告コンテンツ提供方法。
【請求項８】
前記品質要素は、
前記広告コンテンツのＴ＆Ｄまたは前記デジタル放送コンテンツの人気度を含むことを特徴とする請求項７に記載の広告コンテンツ提供方法。
【請求項９】
前記品質指数は、
前記広告コンテンツの最大品質指数および最小品質指数に基づいて補正された品質指数であることを特徴とする請求項６に記載の広告コンテンツ提供方法。
【請求項１０】
前記品質指数は、
前記広告コンテンツに対して予め設定した期間内の品質指数の平均値に基づいて補正された品質指数であることを特徴とする請求項６に記載の広告コンテンツ提供方法。
【請求項１１】
前記ＣＴＲは、
前記広告コンテンツの露出順位別に予め設定した期間内のＣＴＲ平均値に基づいて補正されたＣＴＲであることを特徴とする請求項６または７のうちのいずれか一項に記載の広告コンテンツ提供方法。
【請求項１２】
前記広告コンテンツに対するクリック情報を受信し、前記広告コンテンツの課金方式によって課金を実行するステップ、
をさらに含むことを特徴とする請求項１に記載の広告コンテンツ提供方法。
【請求項１３】
露出順位によって整列された広告コンテンツとデジタル放送コンテンツを受信するステップと、
前記広告コンテンツの課金方式を考慮して前記デジタル放送コンテンツの再生画面上に前記広告コンテンツの露出領域を設定するステップと、
前記デジタル放送コンテンツの再生時点に対応して前記露出領域に前記広告コンテンツを露出するステップと、
を含むことを特徴とする広告コンテンツ露出方法。
【請求項１４】
前記広告コンテンツの露出領域を設定するステップは、
前記デジタル放送コンテンツの再生画面に対して、前記広告コンテンツの課金方式によって露出領域を異なって設定することを特徴とする請求項１３に記載の広告コンテンツ露出方法。
【請求項１５】
請求項１〜１０または請求項１２〜１４のうちのいずれか一項の方法を実行させるためのプログラムを記録したコンピュータ読み取り可能な記録媒体。
【請求項１６】
デジタル放送コンテンツと関連した広告コンテンツに対する入札要請を受信する入札要請受信部と、
前記広告コンテンツの品質情報を用いて前記広告コンテンツの露出順位を決定する露出順位決定部と、
前記露出順位によって整列された前記広告コンテンツを前記デジタル放送コンテンツと共に提供するコンテンツ提供部と、
を備え、
前記広告コンテンツは、
課金方式によって分類されることを特徴とする広告コンテンツ提供システム。
【請求項１７】
前記入札要請受信部は、
前記デジタル放送コンテンツを構成する場面別に前記広告コンテンツに対する入札要請を受信することを特徴とする請求項１６に記載の広告コンテンツ提供システム。
【請求項１８】
前記入札要請受信部は、
前記デジタル放送コンテンツの再生時間中の予め設定した広告時間別に、前記広告コンテンツに対する入札要請を受信することを特徴とする請求項１６に記載の広告コンテンツ提供システム。
【請求項１９】
前記露出順位決定部は、
前記広告コンテンツの品質情報であるＣＴＲを用いて露出順位を決定することを特徴とする請求項１６に記載の広告コンテンツ提供システム。
【請求項２０】
前記露出順位決定部は、
前記広告コンテンツに対する課金方式を考慮して露出順位を決定することを特徴とし、
前記課金方式は、
ＣＰＣ方式およびＣＰＭ方式を含むことを特徴とする請求項１６に記載の広告コンテンツ提供システム。
【請求項２１】
前記露出順位決定部は、
前記広告コンテンツに対する課金方式がＣＰＣ方式である場合、前記入札要請に含まれた最大クリック費用および前記広告コンテンツの品質情報である品質指数による順位指数を考慮して露出順位を決定し、
前記広告コンテンツに対する課金方式がＣＰＭ方式である場合、前記広告コンテンツのＣＴＲを考慮して露出順位を決定することを特徴とする請求項１６に記載の広告コンテンツ提供システム。
【請求項２２】
前記品質指数は、
事前評価要素である前記広告コンテンツの品質要素および事後評価要素である前記広告コンテンツのＣＴＲそれぞれに加重値を適用して計算されることを特徴とする請求項２１に記載の広告コンテンツ提供システム。
【請求項２３】
前記品質要素は、
前記広告コンテンツのＴ＆Ｄまたは前記デジタル放送コンテンツの人気度を含むことを特徴とする請求項２２に記載の広告コンテンツ提供システム。
【請求項２４】
前記品質指数は、
前記広告コンテンツの最大品質指数および最小品質指数に基づいて補正された品質指数であることを特徴とする請求項２１に記載の広告コンテンツ提供システム。
【請求項２５】
前記品質指数は、
前記広告コンテンツに対して予め設定した期間内の品質指数の平均値に基づいて補正された品質指数であることを特徴とする請求項２１に記載の広告コンテンツ提供システム。
【請求項２６】
前記ＣＴＲは、
前記広告コンテンツの露出順位別に予め設定した期間内のＣＴＲ平均値に基づいて補正されたＣＴＲであることを特徴とする請求項２１または２２のうちのいずれか一項に記載の広告コンテンツ提供システム。
【請求項２７】
前記広告コンテンツに対するクリック情報を受信し、前記広告コンテンツの課金方式によって課金を実行する課金実行部、
をさらに備えることを特徴とする請求項１６に記載の広告コンテンツ提供システム。
【請求項２８】
露出順位によって整列された広告コンテンツとデジタル放送コンテンツを受信するコンテンツ受信部と、
前記広告コンテンツの課金方式を考慮して前記デジタル放送コンテンツの再生画面上に前記広告コンテンツの露出領域を設定する露出領域設定部と、
前記デジタル放送コンテンツの再生時点に対応して前記露出領域に前記広告コンテンツを露出する広告コンテンツ露出部と、
を備えることを特徴とする広告コンテンツ露出システム。
【請求項２９】
前記露出領域設定部は、
前記デジタル放送コンテンツの再生画面に対して、前記広告コンテンツの課金方式によって露出領域を異なって設定することを特徴とする請求項２８に記載の広告コンテンツ露出システム。